(57)【要約】【課題】扉収納容器内での収納性を向上したチューブ収納手段を備えた冷蔵庫を提供することを目的とする。【解決手段】冷蔵庫本体の前面開口を開閉する扉と、該扉の内側の上下に設けた第一の扉収納容器及び第二の扉収納容器と、該第一の扉収納容器又は該第二の扉収納容器に設置するチューブ収納手段と、を備えた冷蔵庫において、前記チューブ収納手段は長辺及び短辺に第一の係止部及び第二の係止部をそれぞれ備え、前記第一の扉収納容器の高さは前記第二の扉収納容器の高さよりも高く、前記第一の係止部は前記第一の扉収納容器の前壁に係合する高さに設けられ、前記第二の係止部は前記第二の扉収納容器の前壁に係合する高さに設けられたことを特徴とする。【選択図】  図６
2012026639.tif 000002
【特許請求の範囲】
【請求項１】
冷蔵庫本体の前面開口を開閉する扉と、該扉の内側の上下に設けた第一の扉収納容器及び第二の扉収納容器と、該第一の扉収納容器又は該第二の扉収納容器に設置するチューブ収納手段と、を備えた冷蔵庫において、
前記チューブ収納手段は長辺及び短辺に第一の係止部及び第二の係止部をそれぞれ備え、
前記第一の扉収納容器の高さは前記第二の扉収納容器の高さよりも高く、前記第一の係止部は前記第一の扉収納容器の前壁に係合する高さに設けられ、前記第二の係止部は前記第二の扉収納容器の前壁に係合する高さに設けられたことを特徴とする冷蔵庫。
【請求項２】
前記チューブ収納手段の前記長辺は前記第二の扉収納容器の奥行きに合わせたことを特徴とする、請求項１記載の冷蔵庫。
【発明の詳細な説明】
【技術分野】
【０００１】
本発明は、冷蔵庫に関する。
【背景技術】
【０００２】
本技術分野の背景技術として、特開平９−１９６５５０号公報（特許文献１），実開昭５５−１０５２４号公報（特許文献２）がある。
【０００３】
特許文献１には、スタンド本体に、フックを付け、ケチャップやマヨネーズなどのチューブを冷蔵庫の壁面や、ポケットに取り付け収納できるようにした、チューブスタンドが記載されている。
【０００４】
特許文献２には、互いに深さの異なる複数の収容部をもつ容器本体と、この容器本体とは別体であって、浅い方の収容部内に着脱自在に設けられる収容物支持部材とによって構成され、上記収容物支持部材は、収容部底面とほぼ平行にセットされる支持板部分に、複数の穴があけられている小物容器が記載されている。
【先行技術文献】
【特許文献】
【０００５】
【特許文献１】特開平９−１９６５５０号公報
【特許文献２】実開昭５５−１０５２４号公報
【発明の概要】
【発明が解決しようとする課題】
【０００６】
しかし、特許文献１及び特許文献２では、チューブスタンドや小物容器を設置する空間寸法（幅，深さ，奥行き等）に対する考慮がされていない。例えば、扉収納容器内にチューブスタンドや小物容器を設置する場合、扉収納容器の寸法（幅，深さ，奥行き等）に対する考慮が不十分だと、扉収納容器内に無駄なスペースが空いてしまい、結果として収納効率が低下する。
【０００７】
そこで本発明は、扉収納容器内での収納性を向上したチューブ収納手段を備えた冷蔵庫を提供することを目的とする。
【課題を解決するための手段】
【０００８】
上記課題を解決するために、例えば特許請求の範囲に記載の構成を採用する。本願は上記課題を解決する手段を複数含んでいるが、その一例を挙げるならば、冷蔵庫本体の前面開口を開閉する扉と、該扉の内側の上下に設けた第一の扉収納容器及び第二の扉収納容器と、該第一の扉収納容器又は該第二の扉収納容器に設置するチューブ収納手段と、を備えた冷蔵庫において、前記チューブ収納手段は長辺及び短辺に第一の係止部及び第二の係止部をそれぞれ備え、前記第一の扉収納容器の高さは前記第二の扉収納容器の高さよりも高く、前記第一の係止部は前記第一の扉収納容器の前壁に係合する高さに設けられ、前記第二の係止部は前記第二の扉収納容器の前壁に係合する高さに設けられたことを特徴とする。
【発明の効果】
【０００９】
本発明によれば、扉収納容器内での収納性を向上したチューブ収納手段を備えた冷蔵庫を提供することができる。
【図面の簡単な説明】
【００１０】
【図１】冷蔵庫扉の扉収納容器の概略図。
【図２】チューブ形状の一般的な例の説明図。
【図３】チューブ形状の一般的な例の説明図。
【図４ａ】従来例のチューブ収納手段の概略図。
【図４ｂ】従来例のチューブ収納手段を第一の扉収納容器（バスケット）に設置した図。
【図５ａ】従来例のチューブ収納手段を第二の扉収納容器（ポケット）に設置した図。
【図５ｂ】従来例のチューブ収納手段を第二の扉収納容器（ポケット）に設置した図。
【図６】本発明の実施例のチューブ収納手段の概略図。
【図７ａ】本発明の実施例のチューブ収納手段を第一の扉収納容器（バスケット）に設置した図。
【図７ｂ】本発明の実施例のチューブ収納手段を第二の扉収納容器（ポケット）に設置した図。
【発明を実施するための形態】
【００１１】
本発明の実施形態について、図面を参照しながら説明する。
【００１２】
まず、図１に示すように、本実施例に係る冷蔵庫１は、断熱材を内蔵した冷蔵庫本体２の前面開口３を覆うように開閉扉４を取り付けている。冷蔵庫１は、冷蔵庫本体２の前面開口を仕切り板５で複数に分割し、その分割された複数の収納部６を開閉扉４または図示しない引出扉で覆う構造を採用している。この実施例では、ヒンジ機構７を介して片方開きまたは両開きで開閉可能な開閉扉４に適用することができる。この実施例では、最上部に形成される冷蔵室（収納部６）の前面を観音開きの開閉扉４で構成した冷蔵庫１の事例で説明している。もちろん、冷蔵庫本体２の前面部を１枚の開閉扉で構成した１ドアタイプの冷蔵庫に適用することもできる。
【００１３】
本実施例に係る開閉扉４は、その内部面８に複数の扉収納容器１００を上下に備えている。例えば、この実施例では、最下部にペットボトルやビン類を収納することができるバスケット１０１（第一の扉収納容器）を設けている。バスケット１０１の上部には、卵やチューブ類などの小物食品を収納することができるポケット１１０（第二の扉収納容器）を１個または複数個設けている。また、この実施例では、バスケット１０１を固定して設けている一方で、ポケット１１０は、図示しない取付構造にて取り付ける高さを調整することができる。すなわち、第一の扉収納容器と第二の扉収納容器とでは、用途の違いから奥行き・深さ寸法等に違いがある。
【００１４】
次に、図２，図３に一般的なチューブ類５０の仕様や大きさを示す。ここで、図２（ａ），図３（ａ）は、現在、市場で出回っている一般的なチューブ類５０の一覧表であり、図２（ｂ），図３（ｂ）が、その外観図である。一般に、チューブ類５０の食品は、その内容物により、図２，図３で示したように多様な大きさを備えた仕様になっている。これらは、チューブ状の長手方向の一端にキャップ５１を備えており、この内容物を漏れなく使い切るために、収納時には、このキャップ５１を下に向けた逆さ姿勢を取ることが一般に行われている。
【００１５】
冷蔵庫１においては、扉収納容器１００にチューブ類５０を収納すると、横姿勢で収納することになるので、使いやすい立て姿勢を取れないことがある。また、開閉扉４の開閉時に倒立姿勢のチューブ類５０が倒れることが想定される。
【００１６】
また、開閉扉４が高い位置に設置される大型冷蔵庫においては、扉収納容器１００が高い位置となるため、横姿勢のチューブ類５０が扉収納容器１００の縁に隠れてしまうことがある。
【００１７】
そこで、まず従来例について説明する。図４ａ，図４ｂに示すように、チューブ類５０を収納する凹状のチューブ収納部４２を備えた収納スタンドがある。この従来の収納スタンドは、立て姿勢の食品を収納するため、引っ掛け具である係合部４１を介して、扉収納容器の前壁縁部１０１ａに引っ掛けて自立させる構造を備えている。特に、係合部４１の嵌合強度は、開閉扉の開閉時の振動に対抗するために十分な強度を備えている。また、前壁縁部１０１ａに、係合部４１を引っ掛けることで、扉収納容器１００内にチューブ収納手段４０を左右へ摺動自在に装着している。
【００１８】
この従来の収納スタンドを設置する扉収納容器のうち、バスケットは一般に牛乳やペットボトル飲料など背の高い食品の収納に対応するため、縁部が高く奥行きの狭い、収納物が倒れにくい構造がとられている。一方、ポケットでは縁部が浅く奥行きの広い構造がとられ、小物の多様な食品が収納できる。
【００１９】
しかしながら、従来の収納スタンドは、このバスケット１０１，ポケット１１０のいずれかに対応した形状で成形されることとなるため、奥行きの狭いバスケット１０１に対応した形状の場合、奥行きの広いポケット１１０に設置した場合は、図５ｂのように、背後に無駄な空間が生まれ、使いにくい空間になる。また、収納物がこの無駄な空間に倒れたときに取り出しにくくなる。逆にポケット１１０に対応した形状の場合、奥行きの狭いバスケット１０１には設置できなくなる。
【００２０】
また、バスケット１０１の前壁縁部１０１ａのほうが、ポケット１１０の前壁縁部１１０ａよりも高い。この高い縁部に対応した係合部４１では、図５ｂのようにポケット１１０の前壁縁部１１０ａに引っ掛からず、マヨネーズなどの大型チューブ食品の自立には力不足となり、収納スタンドごと倒れるおそれがある。
【００２１】
また、ポケット１１０に合わせた低い高さでは、バスケット１０１に取り付けた際、前壁縁部１０１ａにぶら下がることとなり、バスケット１０１の破損の原因となるおそれがある。
【００２２】
そこで本実施例のチューブ収納手段（収納スタンド）は、図６に示す外観を有する。基本的に、図７ａ，図７ｂに示すように、長方形状の収納スタンドの長辺を奥行きの広いポケット１１０に対応させ、短辺を奥行きの狭いバスケット１０１に対応させる。これにより、取り付け方向を変えてそれぞれの扉収納容器１００に設置した場合、無駄な空間を作らないため、収納効率が向上する。
【００２３】
また本実施例では、取り付け方向を変えた場合、扉収納容器１００の前壁縁部１０１ａ，１１０ａにそれぞれ引っ掛ける第一の係合部２０，第二の係合部２１を、長辺，短辺それぞれに設けたことを特徴とする。すなわち、第一の係合部２０は、バスケット１０１の高い前壁縁部１０１ａに対応した高さの引っ掛け部であり、第二の係合部２１は、ポケット１１０の低い前壁縁部１１０ａに対応した高さの引っ掛け部である。よって、本実施例では、ポケット１１０，バスケット１０１それぞれの前壁縁部１１０ａ，１０１ａの高さに対応するため、それぞれ対応する係合部の高さ異なる点が特徴である。
【００２４】
次に、具体的な形状について説明する。まず取り付けるバスケット１０１の収納部は、前壁縁部１０１ａの高さが約９０〜９５mm、奥行きが約８０mmとなっている。そのため第一の係合部２０の高さＨ１は、この高さにあわせて９９mm、短手方向の幅Ｗ１は７３mmとした。
【００２５】
次に、ポケット１１０の収納部は前壁縁部１１０ａの高さが約７５〜６５mm、奥行きが約１４５mmとなっている。そのため第二の係合部２１の高さＨ２は、この高さにあわせ７７mm、長手方向の幅Ｗ２は１４２mmとした。
【００２６】
図６において、符号３１，３２，３３はチューブ類を入れる収納部である。チューブ類のキャップ５１の径は、大型チューブでは最大３４mm（図２ａの（５）参照）、小型チューブでは最大２１mm（図３ａの（４）参照）と差があることがわかる。そこで、大型チューブ収納部３３は図２に示した大型チューブを収納することを想定した形状として、他の小型チューブ収納部３１，３２よりも底面を広くした（本実施例では短辺で約３５mm）。また、大型チューブ中ほどの膨らみに対応させて、壁面になだらかな凹部３５を設けている。この凹部３５によって、大型チューブの膨らみを支持し、安定化を図っている。
【００２７】
小型チューブ収納部３１は、図３に示した小型チューブを収納することを想定し、底面を狭くし（本実施例では短辺で約２２mm）、大型チューブがチューブ収納手段の両端には入らないようにしてある。これにより、大きな荷重であるマヨネーズ等が両端に収納されることを防ぎ、長手方向の振動に対し安定化を図っている。
【００２８】
また、小型チューブ収納部３２も小型チューブ収納部３１と同様に、小型チューブを想定した収納部である。小型チューブ収納部３２は小型チューブ収納部３２と異なり、複数本の小型チューブを収納することを想定し、またチーズなどの薄くて幅の広い食品の収納も想定している。
【００２９】
なお、本実施例の収納スタンドは、図６に示す形状として説明したが、これは本発明を説明するための一例であり、実際の形状はこれに限られない。
【００３０】
本実施例によれば、例えばバスケット１０１に取り付ける場合は図７ａのように第一の係合部２０をバスケット１０１の高い前壁縁部１０１ａに係合させて設置する。一方、ポケット１１０に取り付ける場合には図７ｂのように第二の係合部２１を前壁縁部１１０ａに係合させて設置する。これにより、奥行き・深さ等の寸法が異なる扉収納容器のそれぞれで無駄な空間を作ることなく、また、扉開閉時の振動にも対抗できる状態でチューブを倒立収納することが可能となる。
【００３１】
以上のように、ポケット・バスケット等の奥行き・深さの異なる扉収納容器に対して、チューブ収納手段の長辺をポケットの奥行きに、短辺をバスケットの奥行きに合わせて設計し、それぞれの容器深さに対応した引っ掛け具を短辺，長辺のそれぞれに備える。これにより、無効スペースを生むことなく大型のチューブ調味料までも倒立させて保存することができる。
【符号の説明】
【００３２】
２０  第一の係合部（バスケット用引っ掛け部）
２１  第二の係合部（ポケット用引っ掛け部）
３１，３２  小型チューブ収納部
３３  大型チューブ収納部
３５  凹部
４０  チューブ収納手段
４１  係合部
４２  チューブ収納部
５０  チューブ類
５１  キャップ
１００  扉収納容器
１０１  バスケット（第一の扉収納容器）
１０１ａ，１１０ａ  前壁縁部
１１０  ポケット（第二の扉収納容器）
【図１】
2012026639.tif 000003
【図２】
2012026639.tif 000004
【図３】
2012026639.tif 000005
【図４ａ】
2012026639.tif 000006
【図４ｂ】
2012026639.tif 000007
【図５ａ】
2012026639.tif 000008
【図５ｂ】
2012026639.tif 000009
【図６】
2012026639.tif 000010
【図７ａ】
2012026639.tif 000011
【図７ｂ】
2012026639.tif 000012